(57)【特許請求の範囲】
【請求項１】
管路内に引き通す、通信ケーブル乃至通信ケーブルを挿入するさや管を一定間隔で管路内壁に取付バンドで固定するバンド取付装置において、走行方向に平行な相対向する側面の前部及び後部に走行用ローラを有する本体を設け、この本体の上面に、昇降自在な昇降板を設け、この昇降板の、上記走行方向とは直角な両側に、斜め下向きのフックを突設し、この昇降板の下面に、両側端が上記フックと略平行に折れ曲がった形状のバンド押し上げパッドを設け、このバンド押し上げパッドは、当該バンド押し上げパッドの上面に立てたボルトを上記昇降板の孔に通して、この昇降板の上面とボルト頭部との間のボルト外周にバネを巻きつけて常時バンド押し上げパッドが昇降板の下面に圧接するように付勢させ、遠隔操作により上記昇降板を上下させる駆動装置を当該本体に設け、上記取付バンドを収縮した状態で、当該取付バンドの両端部に設けた各透孔を、上記昇降板の両側の斜め下向きの各フックに係止し、これらの各フックの下からバンド押し上げパッドで上記取付バンドの各端縁部を押し当て、このように取付バンドを装着した上記昇降板を上記駆動装置により上昇させて、管路の内壁上部に取付バンドの頂部が圧着すると、取付バンドの両端部が上記バンド押し上げパッドをバネの力に抗して押し下げ、これにより取付バンドの弾性力により取付バンドの両端が管路の内壁面方向にずれて当該取付バンドの両端部の透孔が各フックから外れ、取付バンドは弾性力により伸張して管路の内壁上部に圧着する構成としたことを特徴とする、通信ケーブル乃至通信ケーブルを挿入するさや管の管路内壁固定用バンド取付装置。
【請求項２】
管路内に引き通す、通信ケーブル乃至通信ケーブルを挿入するさや管を一定間隔で管路内壁に取付バンドで固定するバンド取付装置において、走行方向に平行な相対向する側面の前部及び後部に走行用ローラを有する本体を設け、この本体の上面に、昇降自在な昇降板を設け、この昇降板の、走行方向とは直角な両側に、取付バンドの両端の透孔に入れる斜め下向きのフックを突設し、この昇降板の下面に、両側端が上記フックと略平行に折れ曲がった形状のバンド押し上げパッドを設け、このバンド押し上げパッドは、当該バンド押し上げパッドの上面に立てたボルトを昇降板の孔に通して、この昇降板の上面とボルト頭部との間のボルト外周にバネを巻きつけて常時バンド押し上げパッドが昇降板の下面に圧接するように付勢させ、遠隔操作により上記昇降板を上下させる駆動装置を当該本体に設け、上記昇降板を下降させた状態で、上記本体、走行用ローラ、昇降板、フック、バンド押し上げパッド、及び駆動装置から成るバンド取付装置が、挿入する管路の断面の下半分以下の高さとなり、かつ当該バンド取付装置の重心が常時管路の中心より下に位置するように構成したことを特徴とする、通信ケーブル乃至通信ケーブルを挿入するさや管の管路内壁固定用バンド取付装置。
【請求項３】
上記相対向する側面の前部及び後部に設けた走行用ローラが、外側に突出調整自在となっていることにより異径の管路にも対応できるようにしたことを特徴とする、請求項２に記載の通信ケーブル乃至は通信ケーブルを挿入するさや管の管路内壁固定用バンド取付装置。
【請求項４】
通信ケーブル乃至テンシヨンワイヤを両側に有するさや管の長手方向に、一定間隔で複数の前記取付バンドを固定し、該各取付バンドを収縮させた状態で、前記各取付バンドごとに、該各取付バンドを介して前記バンド取付装置を係止した後、この状態の通信ケーブル乃至さや管を、一方のマンホールから管路に引き込み、前記通信ケーブル乃至さや管に取付けた複数の前記バンド取付け装置を、前記通信ケーブル乃至さや管を牽引ロープの代替物として、他方のマンホールまで引き通し、前記通信ケーブル乃至さや管のテンシヨンワイヤを、前記管路の前記両マンホール間で緊張して固定し、前記通信ケーブル乃至さや管を前記管路の内壁の上部に支持した後、前記各バンド取付装置の取付バンド係止部を遠隔操作により開放して、各取付バンド自身の弾性力で前記内壁に圧着することを特徴とする、請求項１乃至３のいずれか記載のバンド取付装置により、通信ケーブル乃至通信ケーブルを挿入するさや管の管路内壁への固定工法。
【請求項５】
請求項４における固定工法において、適宜箇所に取付管が設けられている前記管路には、該取付管の箇所に相応する位置の前記通信ケーブル乃至さや管に、予め、枝線用分岐部を設けて通信ケーブルの分岐線乃至枝線用保護チューブを導出しておき、前記通信ケーブル乃至さや管を前記内壁に圧着後、前記通信ケーブルの各分岐線乃至枝線用保護チューブを前記各取付管に引き入れて固定することを特徴とする、通信ケーブル乃至通信ケーブルを挿入するさや管の管路内壁への固定工法。
【請求項６】
請求項４における固定工法において、適宜箇所に取付管が設けられている前記管路には、該取付管の箇所に相応する位置の前記通信ケーブル乃至さや管に、予め、枝線用分岐部を設けて通信ケーブルの分岐線乃至枝線用保護チューブを導出しておき、前記一方のマンホールから他方のマンホールに前記通信ケーブル乃至はさや管を引き通す際、これと同時に通信ケーブルの各分岐線乃至枝線用保護チューブを前記各取付管に引き入れ、その後、前記通信ケーブル乃至さや管を前記内壁に圧着し、また、前記通信ケーブルの各分岐線乃至枝線用保護チューブを前記各取付管に固定することを特徴とする、通信ケーブル乃至通信ケーブルを挿入するさや管の管路内壁への固定工法。
【発明の詳細な説明】
【０００１】
【発明の属する技術分野】
下水道の各管路に光ファイバーを布設して、地域の家庭や事業所等に情報ネットワーク網を整備する計画が全国的に各自治体で進められているが、この発明は、このような下水道等の既設の管路に光ファイバーケーブル等の通信ケーブルを布設する際に当該通信ケーブル乃至は当該通信ケーブルを挿入するさや管を管路の内壁に固定する取付バンドの取付装置及びこのバンド取付装置による通信ケーブル乃至さや管の管路内壁固定工法に関するものである。
【０００２】
【従来の技術】
従来、下水道等の既設の管路に光ファイバーケーブル等の通信ケーブルを布設する場合、通信ケーブル等を一定間隔で、バネ板の弾性による管路内壁への圧接により固定することが行なわれていた（例えば特開平１２−１０４３２５号公報）。この下水道等の既設の管路は、作業員が入れない小径の管路であるため、バンド取付装置などのロボットを管路内に入れて、遠隔操作により上記バネ板を管路内壁に取り付けていた。
【０００３】
【発明が解決しようとする課題】
しかしながら、このようなバネ板の管路内壁への装着は、管路内にロボットを入れて、監視カメラ等でその模様を写し、モニターを見ながら遠隔操作によりバネ板を管路内壁に取り付け、これを一定間隔毎にロボットを走行させて、バネ板の取付箇所に動かし、またそこで遠隔操作によりバネ板を取り付ける必要があり、監視カメラ等での監視とともにロボットの操作をしなければならず、極めて熟練を要するものであった。また、ロボットの遠隔操作により、バネ板を支持する通信ケーブルをガイドしたり、支持したり、バネ板の係止の解除といった数種の動作をさせるため、ロボットの動きが複雑となり、ロボットそのものの構成も複雑となってしまう。また、監視カメラ及びテレビモニターなどの装置もかさばり、かつ高価なもであるため工費が高くつく欠点がある。
【０００４】
そこで、この発明は、このような監視カメラ及びテレビモニターを不要とし、極めて操作が簡単で、かつ確実に取付バンドを管路内壁に装着できるバンド取付装置及びこのバンド取付装置による通信ケーブル乃至さや管の管路内壁固定工法を提供することにより、上記課題を解決するものである。
【０００５】
【課題を解決するための手段】
請求項１の発明は、管路内に引き通す、通信ケーブル乃至通信ケーブルを挿入するさや管を一定間隔で管路内壁に取付バンドで固定するバンド取付装置において、走行方向に平行な相対向する側面の前部及び後部に走行用ローラを有する本体を設け、この本体の上面に、昇降自在な昇降板を設け、この昇降板の、上記走行方向とは直角な両側に、斜め下向きのフックを突設し、この昇降板の下面に、両側端が上記フックと略平行に折れ曲がった形状のバンド押し上げパッドを設け、このバンド押し上げパッドは、当該バンド押し上げパッドの上面に立てたボルトを上記昇降板の孔に通して、この昇降板の上面とボルト頭部との間のボルト外周にバネを巻きつけて常時バンド押し上げパッドが昇降板の下面に圧接するように付勢させ、遠隔操作により上記昇降板を上下させる駆動装置を当該本体に設け、上記取付バンドを収縮した状態で、当該取付バンドの両端部に設けた各透孔を、上記昇降板の両側の斜め下向きの各フックに係止し、これらの各フックの下からバンド押し上げパッドで上記取付バンドの各端縁部を押し当て、このように取付バンドを装着した上記昇降板を上記駆動装置により上昇させて、管路の内壁上部に取付バンドの頂部が圧着すると、取付バンドの両端部が上記バンド押し上げパッドをバネの力に抗して押し下げ、これにより取付バンドの弾性力により取付バンドの両端が管路の内壁面方向にずれて当該取付バンドの両端部の透孔が各フックから外れ、取付バンドは弾性力により伸張して管路の内壁上部に圧着する構成とした、通信ケーブル乃至通信ケーブルを挿入するさや管の管路内壁固定用バンド取付装置とした。
【０００６】
請求項２の発明は、管路内に引き通す、通信ケーブル乃至通信ケーブルを挿入するさや管を一定間隔で管路内壁に取付バンドで固定するバンド取付装置において、走行方向に平行な相対向する側面の前部及び後部に走行用ローラを有する本体を設け、この本体の上面に、昇降自在な昇降板を設け、この昇降板の、走行方向とは直角な両側に、取付バンドの両端の透孔に入れる斜め下向きのフックを突設し、この昇降板の下面に、両側端が上記フックと略平行に折れ曲がった形状のバンド押し上げパッドを設け、このバンド押し上げパッドは、当該バンド押し上げパッドの上面に立てたボルトを昇降板の孔に通して、この昇降板の上面とボルト頭部との間のボルト外周にバネを巻きつけて常時バンド押し上げパッドが昇降板の下面に圧接するように付勢させ、遠隔操作により上記昇降板を上下させる駆動装置を当該本体に設け、上記昇降板を下降させた状態で、上記本体、走行用ローラ、昇降板、フック、バンド押し上げパッド、及び駆動装置から成るバンド取付装置が、挿入する管路の断面の下半分以下の高さとなり、かつ当該バンド取付装置の重心が常時管路の中心より下に位置するように構成した、通信ケーブル乃至通信ケーブルを挿入するさや管の管路内壁固定用バンド取付装置とした。
【０００７】
また、請求項３の発明は、上記請求項２の発明において、上記相対向する側面の前部及び後部に設けた走行用ローラが、外側に突出調整自在とし、通信ケーブルを布設しようとする管路の管径が変わっても適用できる通信ケーブル乃至通信ケーブルを挿入するさや管の管路内壁固定用バンド取付装置とした。
【０００８】
また、請求項４の発明は、通信ケーブル乃至テンシヨンワイヤを両側に有するさや管の長手方向に、一定間隔で複数の前記取付バンドを固定し、該各取付バンドを収縮させた状態で、前記各取付バンドごとに、該各取付バンドを介して前記バンド取付装置を係止した後、この状態の通信ケーブル乃至さや管を、一方のマンホールから管路に引き込み、前記通信ケーブル乃至さや管に取付けた複数の前記バンド取付け装置を、前記通信ケーブル乃至さや管を牽引ロープの代替物として、他方のマンホールまで引き通し、前記通信ケーブル乃至さや管のテンシヨンワイヤを、前記管路の前記両マンホール間で緊張して固定し、前記通信ケーブル乃至さや管を前記管路の内壁の上部に支持した後、前記各バンド取付装置の取付バンド係止部を遠隔操作により開放して、各取付バンド自身の弾性力で前記内壁に圧着する、請求項１乃至３のいずれか記載のバンド取付装置により、通信ケーブル乃至通信ケーブルを挿入するさや管の管路内壁への固定工法とした。
【０００９】
また、請求項５の発明は、上記請求項４における固定工法において、適宜箇所に取付管が設けられている前記管路には、該取付管の箇所に相応する位置の前記通信ケーブル乃至さや管に、予め、枝線用分岐部を設けて通信ケーブルの分岐線乃至枝線用保護チューブを導出しておき、前記通信ケーブル乃至さや管を前記内壁に圧着後、前記通信ケーブルの各分岐線乃至枝線用保護チューブを前記各取付管に引き入れて固定する、通信ケーブル乃至通信ケーブルを挿入するさや管の管路内壁への固定工法とした。
【００１０】
また、請求項６の発明は、上記請求項４における固定工法において、適宜箇所に取付管が設けられている前記管路には、該取付管の箇所に相応する位置の前記通信ケーブル乃至さや管に、予め、枝線用分岐部を設けて通信ケーブルの分岐線乃至枝線用保護チューブを導出しておき、前記一方のマンホールから他方のマンホールに前記通信ケーブル乃至さや管を引き通す際、これと同時に通信ケーブルの各分岐線乃至枝線用保護チューブを前記各取付管に引き入れ、その後、前記通信ケーブル乃至さや管を前記内壁に圧着し、また、前記通信ケーブルの各分岐線乃至枝線用保護チューブを前記各取付管に固定する、通信ケーブル乃至通信ケーブルを挿入するさや管の管路内壁への固定工法とした。
【００１１】
【発明の実施の形態】
以下この発明の実施の形態例を図に基づいて説明する。
まず、この発明の装置を使用した、通信ケーブルのさや管の管路への布設、固定方法につき、図１１及び１２に基づいて説明すると、下水道の本管１の長手方向の両端にはマンホール２、２を有し、途中には複数の取付管（枝管）３を設けている。そして、テンシヨンワイヤ（図示省略）を両側に有するさや管４を用意し、このさや管４の長手方向に一定間隔で複数の取付バンド５を、図１３のサドル５ａにより固定する。次いでこれらの各取付バンド５を収縮させた状態にして、各取付バンド５ごとに、本管１内を走行自在なバンド取付装置６に係止する。マンホール２，２間の距離にもよるが、通常は、本管１には、５〜１０個の取付バンド５を設置するため、同数のバンド取付装置６を、各取付バンド５を介してさや管に取り付けた状態となる。また予め取付管３の箇所に相応するさや管４に枝線の分岐部７を設けておき、これらの枝線の分岐部７からそれぞれ枝線用保護チューブ８を導出しておく。
【００１２】
この状態のさや管４を一方のマンホール２から本管１内に引き込み、各取付バンドを介してさや管に取り付けた複数のバンド取付装置６を、あたかも、さや管を牽引ロープのようにして、他方のマンホール２まで当該さや管４を引き通す。そして、当該さや管４のテンシヨンワイヤを本管１の両端のマンホール２、２箇所で緊張して固定し（図示省略）、当該さや管４を本管１の内壁の上部に支持する。その後、各バンド取付装置６の各取付バンド５の係止を遠隔操作により一斉に解き、各取付バンド５はそれ自身の弾性力で本管１の内壁に圧着する。これによりさや管４は本管１の内壁の上部に固定される。そこで、各取付バンド５から離れた各バンド取付装置６を、予め相互に連結したロープにより一方のマンホール２へ引き出す。この発明では、通信ケーブル乃至さや管を本管へ引き込むための牽引ロープのようにして通信ケーブル乃至さや管をバンド取付装置６とともに一度に本管へ引き込むことができ、工事時間を短縮できる。
また、枝線用保護チューブ８は、さや管４を本管１の内壁に固定した後、取付管３に引っ掛け棒を挿入して各取付管３に引き入れる方法、または、予め、各枝線用保護チューブ８の先端にそれぞれ牽引ロープを接続しておき、上記さや管４をメインの牽引ロープで引き込むと同時に上記各牽引ロープで各各枝線用保護チューブ８を各取付管３に引き込む方法もあるが、これらの方法は、現場にあわせて適宜対応する。
【００１３】
次に、この発明の上記バンド取付装置６の構造について図１乃至図６に基づき説明する。
このバンド取付装置６は、略船底型のフレームからなる本体１１を設け、この本体１１の、走行方向に平行な相対向する側面の前部及び後部に走行用ローラ１２を４個設けている。これらの走行用ローラ１２は挿入する管路（本管１）の内壁の両側部に接触するようになっており、本体１１をこれらの走行用ローラ１２で吊架した状態となるように構成されている。この本体１１底板上面には、走行方向の前後に間隔をあけてエアーシリンダー１３、１３が設けられ、これらの各エアーシリンダー１３のピストン１３ａの上端に昇降板１４を固定している。この昇降板１４は、二つのエアーシリンダー１３の間が凹部１４ａとなっており、この凹部１４ａの両側に、本体１１の走行方向とは直角方向に、間隔をあけて一対のバンドサポート１５が突設している。
【００１４】
また、これらの各一対のバンドサポート１５の間の凹部１４ａの両側下面から、斜め下向きのフック１６が突出している。これらの両側のフック１６は一本の扁平な棒体１６ａで一体となって凹部１４ａの下面に固定されている。また、この棒体１６ａ及び両端のフック１６の下面には、両側端が上記フックと略平行に折れ曲がった形状のバンド押し上げパッド１７を設けている。このバンド押し上げパッド１７は、このバンド押し上げパッド１７上面に立てたボルト１８を上記棒体１６ａの孔及び上記凹部１４ａの孔１４ｂに通して、この凹部１４ａの上面のボルト１８の外周に設けたスプリングガイド１８ａとボルト１８の上部外周に設けたスプリングガイド１８ｂとの間のボルト１８の外周にスプリング１９を巻きつけて、常時、バンド押し上げパッド１７が昇降板１４の凹部１４ａ下面の棒体１６ａに圧接するように付勢させている。また、このボルト１８の両側には、ガイドピン２０が設けられ、このガイドピン２０は、本体１１の底板上面に立設し、その上部が上記バンド押し上げパッド１７の孔、棒体１６ａの孔及び凹部１４ａの孔を貫通している。これにより昇降板１４及びバンド押し上げパッド１７は上下に昇降しても定位置を保持している。また、本体１１の底板上面の、各ガイドピン２０の基部にはそれぞれ下部ストッパ２４が設けられ、これらの各下部ストッパ２４にバンド押し上げパッド１７が当たることにより、上記エアーシリンダー１３による上記昇降板１４の下方への動きを規制している。また、上記昇降板１４の両端に固定したカバー２１が上記凹部１４ａ内のボルト１８等を被っている。
【００１５】
また、上記４個の各走行用ローラ１２は、図６に示すように、本体１１の側面を軸１２ａの一端のネジ部１２ｂが螺着して貫通しおり、このネジ部１２ｂに別途螺着した固定ナット１２ｃを本体１１の側面に締め付けて固定されている。従って、当該固定ナット１２ｃを緩めて軸１２ａを回せば、各走行用ローラ１２の本体１１の外方への突出具合が調整でき、管路の内径にあわせて両側の二つの走行用ローラ１２の間隔幅を広げることができる。また、上記本体１１の前後面には、ロープ連結用のアイボルト２２が設けられ、これらの各アイボルト２２の両側には空気圧用カプラ２３がそれぞれ設けられている
また、以上の装置全体が、挿入する管路の断面の下半分以下の高さとなり、装置全体の重心が常時管路の中心より下に位置するように構成されている。
【００１６】
また、上記取付バンド５は、図１３に示すもので、略半環状のバネ板からなるもので、その湾曲頂部下面に、さや管４を固定するサドル５ａを設け、両端部に後述のバンド取付装置６のフック１６を係止する透孔５ｂが設けられている。従って、この取付バンド５は両側部に突起物がなく、扁平であるため、管路の内壁に固着した際、下水道の流れに影響を与えず、また、ゴミ等が引っかからないものである。また、図では、上記サドル５ａは取付バンド５の湾曲頂部下面に設けられているが、本管１に導入される取付管３の位置からずらして、湾曲上部側部下面に設ける場合もある。
【００１７】
次に、このバンド取付装置６による取付バンド５の本管１の内壁への取り付け操作を説明する。まず上述の様にさや管４を、取付バンド５の湾曲内面に設けたサドル５ａ（図１参照）で固定した取付バンド５を用意し、まず、昇降板１４をエアーシリンダー１３で上昇させた後、バンド取付装置６のバンド押し上げパッド１７を、スプリング１９の力に抗して押し下げ、この状態で上記取付バンド５の両側をそれぞれ各対のバンドサポート１５の間に入れ、取付バンド５の両端部を内側に収縮させて両側の各フック１６に当該取付バンド５の両端部の透孔を係止させる。そして、上記バンド押し上げパッド１７の押し下げを解除すると、バンド押し上げパッド１７はスプリング１９の力で取付バンド５の両端縁部を押し、当該取付バンド５の両端部はフック１６とバンド押し上げパッド１７に挟持された形となり、取付バンド５の両側は各対のバンドサポート１５で支持される。この状態からエアーシリンダー１３で昇降板１４を引き下げるとバンド押し上げパッド１７が下部ストッパ２４との間で挟みつけられてむやみに取付バンド５はバンド取付装置６から外れない。
【００１８】
この状態で、図７に示すごとく、バンド取付装置６はさや管４と共に本管１内に引き込まれ、所定の場所で停止する。そこで、上記エアーシリンダー１３を遠隔操作により作動させ、昇降板１４を上昇させる。これにより取付バンド５も上昇し、図８に示すように、取付バンド５の頂部が本管１の内壁頂部に当たり、さらに上昇させると、取付バンド５の両端部は図８の矢印が示すように下方に押され、バンド押し上げパッド１７が、図９に示すようにスプリング１９の力に抗して押し下げられ、取付バンド５の両端部は、バンド押し上げパッド１７の両端の斜めの板にガイドされて外方に広がり、取付バンド５の両端部の透孔がフック１６から外れ、取付バンド５の両端部は係止が解け、バネ板の弾性力により瞬時に外方に広がり、図１０に示すように本管１の内壁に圧着する。
【００１９】
これにより、取付バンド５の本管１の内壁への取り付けが完了する。そこで、バンド取付装置６のエアーシリンダー１３を遠隔操作により動かして昇降板１４を降下させ、複数のバンド取付装置６を連結ロープにより本管１から引き出す。その際、各バンド取付装置６は、その高さが、本管１の断面の下半分以下のため、本管１から取付管３内に布設した枝管用保護チューブ８等にぶつかるおそれがない。
【００２０】
また、この発明では、上述の様に、走行用ローラ１２を本体１１に側面から突出する度合を調整できるので、挿入する管路の内径にあわせて、走行用ローラ１２の突出度合を調整し、当該バンド取付装置を使用することができる。
また、上記実施の形態例では、本管１内にさや管４を取付バンド５で固定するものであるため、さや管の強度を補強するテンシヨンワイヤを設けたさや管について説明したが、このような補強手段は、なにもテンシヨンワイヤに限る必要はなく、通常の慣用手段でよい。また、この発明では、さや管に限ることなく、通信ケーブルであっても、上記と同様に固定できる。さや管を使用するのは、当該さや管内に通信ケーブルを一度布設した後も、必要に応じて、後から簡単に通信ケーブルを補充できるからにすぎない。また、このバンド取付装置６は、本管１に限らず、取付管（枝管）３等、適宜の管路に使用できる。また、管路の内壁に固定する取付バンドは上記の実施の形態例のものに限るものではない。
【００２１】
【発明の効果】
請求項１及び２の発明のバンド取付装置は、取付バンドの係止解除の動作が一工程で行え、ロボットであるバンド取付装置の動作を容易、かつ、確実なものにすることができる。即ち、バンド取付装置のフック及びバンド押し上げパッド又は昇降板を上昇させれば、あとは取付バンドの頂部が管路の内壁頂部に当たって、取付バンド自体がバンド押し上げパッドを押し下げて、フックから外れるようになっているため、バンド取付装置の動作は、昇降板等の上下動だけでよい。それ故、バンド取付装置自体の構造も簡単であり、遠隔操作によるロボットの作業には最適のものである。
【００２２】
また、特に請求項２の発明の装置は、一つの取付バンドのみを支持する構成となっているため長さが短く、また、高さも取付バンドの幅のみ高くなっており、装置そのものの高さは、挿入する管路の断面の下半分以下の高さとなっているため、枝管の急な曲がり箇所でも容易に通過することができる。また、装置の重心を常時管路の中心より下に位置するように構成しているため、管路が上下に傾斜したり左右に曲がっていても、この装置は、常に適切な姿勢を保持することができる。
また、請求項３の発明は、上記請求項１又は２の効果に加え、挿入する管路の内径に合わせて、走行ローラの突出度合いを調整すれば、この装置を広く使用することができる。
【００２３】
また、請求項４の発明では、上記請求項１から３に記載のバンド取付装置を、本管の中へ導入する際、通信ケーブル乃至さや管自体を牽引ロープとして使用するだけでなく、通信ケーブル乃至さや管自体を管路内の引き込んだ位置において、取付バンドにより管路内壁に固定できるのである。取付操作の簡易さ、時間短縮、取付の確実さ等、バンドの固定工法の効果は計り知れない。
また、請求項５又は６の発明は、通信ケーブル乃至さや管から本管の取付管へ、枝線を分岐するための簡易な工法である。
【図面の簡単な説明】
【図１】この発明の実施の形態例のバンド取付装置の正面図である。
【図２】この発明の実施の形態例のバンド取付装置の側面図である。
【図３】この発明の実施の形態例のバンド取付装置の平面図である。
【図４】この発明の実施の形態例のバンド取付装置の走行方向の中央縦断面図である。
【図５】この発明の実施の形態例のバンド取付装置の走行方向と直角な中央部の縦断面図である。
【図６】この発明の実施の形態例のバンド取付装置の走行方向と直角な端部の縦断面図である。
【図７】この発明の実施の形態例のバンド取付装置による取付バンドの本管の内壁への取り付け操作の第１工程を示す説明図である。
【図８】この発明の実施の形態例のバンド取付装置による取付バンドの本管の内壁への取り付け操作の第２工程を示す説明図である。
【図９】この発明の実施の形態例のバンド取付装置による取付バンドの本管の内壁への取り付け操作の第３工程を示す説明図である。
【図１０】この発明の実施の形態例のバンド取付装置による取付バンドの本管の内壁への取り付け操作の第４工程を示す説明図である。
【図１１】この発明の実施の形態例のバンド取付装置を用いた、通信ケーブルのさや管の管路への布設固定状態を示す平面図である。
【図１２】この発明の実施の形態例のバンド取付装置を用いた、通信ケーブルのさや管の管路への布設固定状態を示す側面断面図である。
【図１３】この発明の実施の形態例のバンド取付装置に装着する取付バンドの斜視図である。
【符号の説明】
１    本管                        ２    マンホール
３    取付管（枝管）                ４    さや管
５    取付バンド                    ６    バンド取付装置
７    枝管の分岐部分                  ８    枝管用保護チューブ
１１    本体                                            １２    走行用ローラ
１３    エアーシリンダー          １４    昇降板
１５    バンドサポート            １６    フック
１７    バンド押し上げパッド      １８    ボルト
１９    スプリング                    ２０    ガイドピン
２１    カバー                    ２２    アイボルト
２３    空気圧用カプラ            ２４    下部ストッパ
【図１】
0003574431.tif 000002
【図２】
0003574431.tif 000003
【図３】
0003574431.tif 000004
【図４】
0003574431.tif 000005
【図５】
0003574431.tif 000006
【図６】
0003574431.tif 000007
【図７】
0003574431.tif 000008
【図８】
0003574431.tif 000009
【図９】
0003574431.tif 000010
【図１０】
0003574431.tif 000011
【図１１】
0003574431.tif 000012
【図１２】
0003574431.tif 000013
【図１３】
0003574431.tif 000014